(57)【要約】【課題】暗証情報を第三者に知られる危険性が少ないＩＤカード発行システムを提供する。【解決手段】互いにネットワークを介して接続され、申請者の顔画像情報を取得する画像処理装置２２を備える撮影装置２と、ＩＤ番号，暗証番号，個人情報を記憶する記憶装置１１と、ＩＤカード発行装置３と、を備えるＩＤカード発行システム１０００において、撮影装置２は、暗証番号記入書から暗証番号を読み取る暗証番号読取装置２４と、申請書からＩＤ番号を読み取るＩＤ番号読取装置２３と、暗証番号とＩＤ番号とを対応付けて記憶装置１１に送信する送信手段（ＣＰＵ２１１，第１の送信プログラム２１３２）と、を備え、暗証番号読取装置２４は、送信手段によってｎ−１人目の申請者のＩＤ番号と暗証番号が送信されてから、送信手段によってｎ人目の申請者のＩＤ番号と暗証番号が送信される間に、ｎ人目の申請者の暗証番号を読み取るように構成した。【選択図】図１
2006334879.tif 000002
【特許請求の範囲】
【請求項１】
ＩＤカードの発行を申請した申請者の顔画像情報を取得する撮影手段を備える撮影装置と、
前記撮影装置とネットワークを介して接続されて申請者の識別情報と暗証情報と当該申請者の個人情報とを対応付けて記憶する記憶装置と、
前記撮影装置とネットワークを介して接続されてＩＤカードを発行する発行装置と、を備えるＩＤカード発行システムにおいて、
前記撮影装置は、
所定の入力方式により暗証情報を入力する入力手段と、
申請者の識別情報が記入された申請書から識別情報を読み取る識別情報読取手段と、
前記入力手段により入力された暗証情報と前記識別情報読取手段により読み取られた識別情報とを対応付けて前記記憶装置に送信する送信手段と、を備え、
前記入力手段は、第１の申請者の直前の第２の申請者における、前記送信手段による識別情報及び暗証情報の送信がなされてから前記第１の申請者における、前記送信手段による識別情報及び暗証情報の送信がなされる間に実行されることを特徴とするＩＤカード発行システム。
【請求項２】
前記撮影装置は、
当該撮影装置を操作する操作者を認証するための認証情報を取得する認証情報取得手段と、
認証情報が記憶された認証カードが所定の位置にセットされているか否かを判断する認証カード位置判断手段と、
前記認証カードから前記認証情報を読み取る認証情報読取手段と、
前記認証情報取得手段により取得された操作者の認証情報と、前記認証情報読取手段により読み取られた認証情報とが一致するか否かを判断する認証手段と、
前記認証手段により、前記認証情報取得手段により取得された操作者の認証情報と前記認証情報読取手段により読み取られた認証情報とが一致すると判断され、且つ前記認証カード位置判断手段により前記認証カードが所定の位置にセットされていると判断されている場合にのみ、当該撮影装置の操作が可能となるように制御する制御手段と、
を備えることを特徴とする請求項１に記載のＩＤカード発行システム。
【請求項３】
前記入力手段は、
申請者の暗証情報が記入された暗証情報記入書から暗証情報を読み取る暗証情報読取手段であることを特徴とする請求項１又は２に記載のＩＤカード発行システム。
【請求項４】
前記暗証情報記入書には、申請者の暗証情報が機械的に暗号化されて記入されていることを特徴とする請求項３に記載のＩＤカード発行システム。
【請求項５】
請求項１〜４の何れか一項に記載のＩＤカード発行システムにおけるＩＤカード発行方法であって、
前記撮影装置の撮影手段により、申請者の顔画像情報を取得する第１の工程と、
前記発行装置により、申請者の識別情報，個人情報，顔画像情報に基づいてＩＤカードを発行する第２の工程を備えるＩＤカード発行方法において、
前記第１の工程は、
前記入力手段により、申請者の暗証情報を入力する暗証情報入力工程と、
前記識別情報読取手段により、申請者の識別情報が記入された申請書から識別情報を読み取る識別情報読取工程と、
送信手段により、前記入力手段により入力された暗証情報と前記識別情報読取手段により読み取られた識別情報とを対応付けて前記記憶装置に送信する送信工程と、
を含み、
第１の申請者の直前の第２の申請者における、前記送信工程による識別情報及び暗証情報の送信がなされてから前記第１の申請者における、前記送信工程による識別情報及び暗証情報の送信がなされる間に前記暗証情報入力工程を行うことを特徴とするＩＤカード発行方法。
【発明の詳細な説明】
【技術分野】
【０００１】
本発明は、ＩＤカード発行システムおよびＩＤカード発行方法に関する。
【背景技術】
【０００２】
従来、ＩＤカード発行システムは、例えば、当該ＩＤカード発行システムを統括的に制御するホストコンピュータ、ＩＤカードの申請者の顔画像情報を取得する撮影装置、当該申請者の暗証番号，ＩＤ番号，個人情報，顔画像情報等を記憶する記憶装置、当該申請者の個人情報や顔画像情報等に基づいてＩＤカードに文字や顔写真をプリントするＩＤカード発行装置、これらの装置を操作する操作端末等から構成されている。
【０００３】
そして、このようなＩＤカード発行システムでは、申請書に記載された暗証番号は、オペレータによりホストコンピュータを介して記憶装置に記憶されることにより、登録されている（例えば、特許文献１，２）。
【特許文献１】特開２００４−１３１１９８号公報
【特許文献２】特開平７−８９２７２号公報
【発明の開示】
【発明が解決しようとする課題】
【０００４】
しかしながら、申請書に暗証番号を記載することとすると、万が一、申請書が第三者に見られてしまうと、簡単に、第三者に、ＩＤ番号と暗証番号が知られることとなってしまうため、申請書を第三者に見られることがないように厳重に管理しなくてはならず、当該申請書を管理する負担が大きいという問題があった。
一方、申請書には暗証番号を記載せず申請者が暗証番号の入力を別個に行うこととすると、ＩＤ番号と暗証番号とを対応付けるためには、ＩＤ番号と暗証番号を入力しなければならず煩雑であるとともに、間違えやすいという問題が生じる。
【０００５】
本発明の課題は、暗証情報を第三者に知られる危険性が少なく、且つ、効率的に暗証情報の入力が可能なＩＤカード発行システム及びＩＤカード発行方法を提供することである。
【課題を解決するための手段】
【０００６】
上記課題を解決するため、請求項１に記載の発明は、ＩＤカードの発行を申請した申請者の顔画像情報を取得する撮影手段を備える撮影装置と、
前記撮影装置とネットワークを介して接続されて申請者の識別情報と暗証情報と当該申請者の個人情報とを対応付けて記憶する記憶装置と、
前記撮影装置とネットワークを介して接続されてＩＤカードを発行する発行装置と、を備えるＩＤカード発行システムにおいて、
前記撮影装置は、
所定の入力方式により暗証情報を入力する入力手段と、
申請者の識別情報が記入された申請書から識別情報を読み取る識別情報読取手段と、
前記入力手段により入力された暗証情報と前記識別情報読取手段により読み取られた識別情報とを対応付けて前記記憶装置に送信する送信手段と、を備え、
前記入力手段は、第１の申請者の直前の第２の申請者における、前記送信手段による識別情報及び暗証情報の送信がなされてから前記第１の申請者における、前記送信手段による識別情報及び暗証情報の送信がなされる間に実行されることを特徴としている。
【０００７】
請求項２に記載の発明は、請求項１に記載のＩＤカード発行システムにおいて、
前記撮影装置は、
当該撮影装置を操作する操作者を認証するための認証情報を取得する認証情報取得手段と、
認証情報が記憶された認証カードが所定の位置にセットされているか否かを判断する認証カード位置判断手段と、
前記認証カードから前記認証情報を読み取る認証情報読取手段と、
前記認証情報取得手段により取得された操作者の認証情報と、前記認証情報読取手段により読み取られた認証情報とが一致するか否かを判断する認証手段と、
前記認証手段により、前記認証情報取得手段により取得された操作者の認証情報と前記認証情報読取手段により読み取られた認証情報とが一致すると判断され、且つ前記認証カード位置判断手段により前記認証カードが所定の位置にセットされていると判断されている場合にのみ、当該撮影装置の操作が可能となるように制御する制御手段と、を備えることを特徴としている。
【０００８】
請求項３に記載の発明は、請求項１又は２に記載のＩＤカード発行システムにおいて、
前記入力手段は、
申請者の暗証情報が記入された暗証情報記入書から暗証情報を読み取る暗証情報読取手段であることを特徴としている。
【０００９】
請求項４に記載の発明は、請求項３に記載のＩＤカード発行システムにおいて、前記暗証情報記入書には、申請者の暗証情報が機械的に暗号化されて記入されていることを特徴としている。
【００１０】
請求項５に記載の発明は、請求項１〜４の何れか一項に記載のＩＤカード発行システムにおけるＩＤカード発行方法であって、
前記撮影装置の撮影手段により、申請者の顔画像情報を取得する第１の工程と、
前記発行装置により、申請者の識別情報，個人情報，顔画像情報に基づいてＩＤカードを発行する第２の工程を備えるＩＤカード発行方法において、
前記第１の工程は、
前記入力手段により、申請者の暗証情報を入力する暗証情報入力工程と、
前記識別情報読取手段により、申請者の識別情報が記入された申請書から識別情報を読み取る識別情報読取工程と、
送信手段により、前記入力手段により入力された暗証情報と前記識別情報読取手段により読み取られた識別情報とを対応付けて前記記憶装置に送信する送信工程と、
を含み、
第１の申請者の直前の第２の申請者における、前記送信工程による識別情報及び暗証情報の送信がなされてから前記第１の申請者における、前記送信工程による識別情報及び暗証情報の送信がなされる間に前記暗証情報入力工程を行うことを特徴としている。
【発明の効果】
【００１１】
請求項１に記載の発明によれば、識別情報と暗証情報との対応付けが自動的になされることとなって、識別情報と暗証情報との対応付けの間違いを防止することができる。
また、識別情報が記載された申請書の読み取りと暗証情報の入力とが別々に行われるため、申請書から暗証情報が第三者に知られることがなくなり、申請者の暗証情報の秘匿性を向上することができる。
また、元々識別情報の入力が必須である撮影装置内に、入力手段を設けることによって、申請者が暗証情報の入力を別個に行うこととする場合の識別情報と暗証情報の入力の煩雑さを解消できて、効率的に暗証情報を入力することができる。
【００１２】
請求項２に記載の発明によれば、請求項１に記載の発明と同様の効果が得られるのは勿論のこと、特に、撮影装置の操作者を当該操作者の認証情報及び認証カードに基づいて二重にチェックすることができるとともに、操作者が撮影装置から離れる場合には、操作者が認証カードを所持して撮影装置から離れて所定の位置から取り除くことに基づいて撮影装置を操作不可能とするので、操作者以外の者が撮影装置を操作するのを防ぐことができる。
また、操作者以外の者が撮影装置を操作するのを防ぐことができるので、申請者の暗証情報の秘匿性をより向上することができる。
【００１３】
請求項３に記載の発明によれば、請求項１又は２に記載の発明と同様の効果が得られるのは勿論のこと、特に、暗証情報読取手段により暗証情報記入書から暗証情報を読み取った後に、当該暗証情報記入書を申請者に返却することができ、申請者が暗証情報を忘れてしまうことを防ぐことができる。
【００１４】
請求項４に記載の発明によれば、請求項３に記載の発明と同様の効果が得られるのは勿論のこと、特に、暗証情報記入書には申請者の暗証情報が機械的に暗号化されて記入されているので、撮影装置の操作者であっても、申請者の暗証情報を知るのを防ぐことができ、申請者の暗証情報の秘匿性を更に向上することができる。
【００１５】
請求項５に記載の発明によれば、識別情報と暗証情報との対応付けが自動的になされることとなって、識別情報と暗証情報との対応付けの間違いを防止することができる。
また、識別情報が記載された申請書の読み取りと暗証情報の入力とが別々に行われるため、申請書から暗証情報が第三者に知られることを防ぐことができ、申請者の暗証情報の秘匿性を向上することができる。
また、元々識別情報の入力が必須である撮影装置内に、入力手段を設けることによって、申請者が暗証情報の入力を別個に行うこととする場合の識別情報と暗証情報の入力の煩雑さを解消できて、効率的に暗証情報を入力することができる。
【発明を実施するための最良の形態】
【００１６】
以下、図を参照して本発明を実施するための最良の形態を詳細に説明する。なお、発明の範囲は、図示例に限定されない。
【００１７】
＜ＩＤカード発行システムの構成＞
まず、ＩＤカード発行システム１０００の構成を図１を参照して説明する。
ＩＤカード発行システム１０００は、例えば、図１に示すように、ホストコンピュータ１，撮影装置２，ＩＤカード発行装置３、記憶装置１１等を備えて構成される。ホストコンピュータ１と、撮影装置２と、ＩＤカード発行装置３とは、ネットワークを介して接続されており、互いに通信可能となっている。
【００１８】
なお、ネットワークは、専用線により構築された通信ネットワークであり、ＬＡＮ（Local  Area  Network）やＷＡＮ（Wide  Area  Network）等の回線形態を適用することが可能である。
また、一つのホストコンピュータ１に接続される、撮影装置２、ＩＤカード発行装置３の個数は、図１の限りではなく、任意である。
【００１９】
ホストコンピュータ１は、予め記憶されたプログラムに従い、ＩＤカード発行システム１０００を統括的に制御するコンピュータである。より具体的には、ホストコンピュータ１は、例えば、個人情報送信プログラム（図示省略）等を備えており、当該個人情報送信プログラムを実行することにより、撮影装置２からの要求に基づいて、要求された個人情報を記憶装置１１の個人情報データベース１１１（後述）から抽出して撮影装置２へ送信する。
また、ホストコンピュータ１は、例えば、図１に示すように、記憶装置１１（例えば、磁気テープ装置や磁気ディスク装置等の磁気記憶装置等）と接続されている。
【００２０】
記憶装置１１には、例えば、図１に示すように、個人情報データベース１１１等が格納されている。
【００２１】
個人情報データベース１１１は、申請者を識別する識別情報としてのＩＤ番号と、暗証情報としての暗証番号と、当該申請者の個人情報とを対応付けて記憶している。
個人情報データベース１１１は、具体的には、例えば、「ＩＤ番号」記憶領域、「暗証番号」記憶領域、「個人情報」記憶領域等を有する。
「ＩＤ番号」記憶領域には、申請者を識別するＩＤ番号が記憶されている。
「暗証番号」記憶領域には、申請者の暗証番号が記憶されている。
「個人情報」記憶領域には、「ＩＤ番号」記憶領域に記憶されたＩＤ番号によって識別される申請者の個人情報（住所、氏名、国籍・本籍、生年月日等）が記憶されている。
【００２２】
なお、個人情報データベース１１１は、ホストコンピュータ１に格納してもよいし、或いは、ネットワークを介して接続される外部装置内に格納してもよい。
また、個人情報データベース１１１の「個人情報」記憶領域には、個人情報を表すものとして、予め登録されている文字データの他に、新たに作成した欠字や外字等を表すデータが記憶されるようにしてもよい。
【００２３】
また、ＩＤ番号は、後述する、撮影装置２のＩＤ番号読取装置２３により読み取られて当該撮影装置２から送信されて、個人情報データベース１１１に記憶される。また、暗証番号は、後述する、撮影装置２の暗証番号読取装置２４により読み取られて当該撮影装置２から送信されて、個人情報データベース１１１に記憶される。
また、申請者の個人情報は、ＩＤカード（図示省略）の発行前に、例えば、撮影装置２を操作する操作者であるオペレータがＩＤ番号とともに入力処理することにより、又は、ＩＤ番号読取装置２３によりＩＤ番号とともに読み取られて、当該撮影装置２から送信されて、個人情報データベース１１１に記憶される。
【００２４】
撮影装置２は、例えば、図１に示すように、エンジニアリング・ワーク・ステーション（以下、ＥＷＳ）２１，撮影手段としての画像処理装置２２，識別情報読取手段としてのＩＤ番号読取装置２３，入力手段及び暗証情報読取手段としての暗証番号読取装置２４，認証情報取得手段としてのバイオセンサ２５，認証カード位置判断手段及び認証情報読取手段としての認証カード読取装置２６等を備えて構成される。そして、撮影装置２は、ＥＷＳ２１によってネットワークに接続されている。
【００２５】
ＥＷＳ２１は、例えば、図１に示すように、ＣＰＵ（Central  Processing  Unit）２１１，ＲＡＭ（Random  Access  Memory）２１２，記憶部２１３等を備えて構成される。
【００２６】
ＣＰＵ２１１は、記憶部２１３に記憶されたＥＷＳ２１用の各種処理プログラムに従って各種の制御動作を行う。
【００２７】
ＲＡＭ２１２は、ＣＰＵ２１１によって実行される処理プログラム等を展開するためのプログラム格納領域や、入力データや上記処理プログラムが実行される際に生じる処理結果等を格納するデータ格納領域等を備える。
【００２８】
記憶部２１３は、ＥＷＳ２１で実行可能なシステムプログラム、当該システムプログラムで実行可能な各種処理プログラム、これら各種処理プログラムを実行する際に使用されるデータ、ＣＰＵ２１１によって演算処理された処理結果のデータ等を記憶する。なお、プログラムは、コンピュータが読み取り可能なプログラムコードの形で記憶部２１３に記憶されている。
より具体的には、記憶部２１３には、例えば、図１に示すように、顔画像情報データベース２１３１，第１の送信プログラム２１３２，第２の送信プログラム２１３３，認証プログラム２１３４，制御プログラム２１３５等が格納されている。
【００２９】
顔画像情報データベース２１３１は、例えば、ＩＤカードの発行を申請した申請者を識別するＩＤ番号と、撮影装置２により取得された当該申請者の顔画像情報とを対応付けて記憶している。
【００３０】
具体的には、顔画像情報データベース２１３１は、「ＩＤ番号」記憶領域、「顔画像情報」記憶領域等を有する。
「ＩＤ番号」記憶領域には、申請者を識別するＩＤ番号が記憶されている。
「顔画像情報」記憶領域には、「ＩＤ番号」記憶領域に記憶されたＩＤ番号によって識別される申請者の顔画像情報が記憶されている。
より具体的には、「ＩＤ番号」記憶領域には、後述するＩＤ番号読取装置２３により読み取られたＩＤ番号が記憶されており、「顔画像情報」記憶領域には、例えば、後述するカメラ２２１により取得されて画像処理装置２２から出力された顔画像情報が記憶されている。
【００３１】
第１の送信プログラム２１３２は、例えば、ＣＰＵ２１１に、ＩＤ番号読取装置２３により読み取られた申請者のＩＤ番号と，暗証番号読取装置２４により読み取られた暗証番号とを対応付けてホストコンピュータ１へ送信するとともに、ホストコンピュータ１に対して記憶装置１１に記憶された該ＩＤ番号に対応する個人情報を要求する機能を実現させるプログラムである。
ＣＰＵ２１１は、かかる第１の送信プログラム２１３２を実行することにより、送信手段として機能する。
【００３２】
第２の送信プログラム２１３３は、例えば、ＣＰＵ２１１に、ＩＤカードの発行時に、申請者のＩＤ番号と，記憶装置１１から取得した個人情報と，撮影装置２により取得された顔画像情報とをＩＤカード発行装置３に送信する機能を実現させるプログラムである。
【００３３】
認証プログラム２１３４は、例えば、ＣＰＵ２１１に、バイオセンサ２５により取得されたオペレータの認証情報としての生体情報と、認証カード読取装置２６によりオペレータの認証カード（図示省略）から読み取られた生体情報とを比較する機能を実現させるプログラムである。
ＣＰＵ２１１は、かかる認証プログラム２１３４を実行することにより、認証手段として機能する。
【００３４】
制御プログラム２１３５は、例えば、ＣＰＵ２１１に、認証プログラム２１３４を実行してバイオセンサ２５により取得されたオペレータの生体情報と認証カード読取装置２６により読み取られた生体情報とが一致したと判断し、且つ、認証カード読取装置２６に認証カードを認識させ、該認証カードが所定の位置にセットされていると判断する場合にのみ、当該撮影装置２の操作が可能となるように制御する機能を実現させるプログラムである。
より具体的には、認証プログラム２１３４を実行してバイオセンサ２５により取得されたオペレータの生体情報と認証カード読取装置２６により読み取られた生体情報とが一致したと判断した時点から当該撮影装置２を操作可能とするとともに計時を開始し、操作可能としてから所定時間経過後に認証カード読取装置２６に認証カードの認識を行わせ、該認証カードが所定の位置にセットされていると判断する場合には当該撮影装置２が操作可能となるように制御し、該認証カードが所定の位置にセットされていないと判断する場合には当該撮影装置２が操作不可能となるように制御する機能を実現させるプログラムである。
ＣＰＵ２１１は、かかる認証プログラム２１３４を実行することによって、認証手段として機能する。
【００３５】
画像処理装置２２は、例えば、図１に示すように、カメラ２２１、ＴＶモニタ２２２等を接続している。画像処理装置２２は、カメラ２２１により取得された顔画像情報（アナログビデオ信号）を、デジタル化して、ＥＷＳ２１に出力する。
【００３６】
カメラ２２１は、例えば、オペレータによって撮影開始ボタン（図示省略）が押下されると、申請者の顔を中心とした胸像を撮影して、申請者の顔画像情報を取得する。
【００３７】
ＴＶモニタ２２２は、カメラ２２１により取得した顔画像情報に基づく顔画像を表示する。オペレータは、ＴＶモニタ２２２に表示された顔画像を見て、当該顔画像の顔画像情報を、ＩＤカードにプリントする顔画像の顔画像情報として確定するか否かを判断することができる。
【００３８】
ＩＤ番号読取装置２３は、例えば、マークシートリーダ，バーコードリーダ，ＯＣＲ（Optical  Character  Reader）等であり、申請書（図示省略）に記載されたＩＤ番号を自動読取する。
この場合、ＩＤ番号は、例えば、申請書にマークシートの塗りつぶし，バーコード，ＯＣＲ文字等により記載される。
また、ＩＤ番号読取装置２３は、申請書に記載された個人情報を読み取ることも可能であり、ＩＤカードの発行前に、申請書に記載された個人情報の読取も行ってもよい。この場合、個人情報は、例えば、申請書にマークシートの塗りつぶし，バーコード，ＯＣＲ文字等により記載される。
【００３９】
暗証番号読取装置２４は、例えば、マークシートリーダ，バーコードリーダ，ＯＣＲ等であり、暗証情報記入書としての暗証番号記入書（図示省略）に機械的に暗号化されて記載された暗証番号を自動読取する。暗証番号記入書は、申請者の暗証番号が機械的に暗号化されて記入されている。
より具体的には、暗証番号は、例えば、暗証番号記入書にマークシートの塗りつぶし，バーコード，ＯＣＲ文字等により記載される。暗証番号がバーコード，ＯＣＲ文字等で暗証番号記入書に記入される場合には、申請者が暗証番号を入力すると当該暗証番号に基づくバーコード又はＯＣＲ文字を印刷して暗証番号記入書を作成する装置をＩＤカード発行システム１０００に別途設けてもよい。
また、当該暗証番号記入書は、暗証番号が暗証番号読取装置２４により読み取られた後に、申請者に返却されるようになっている。
【００４０】
バイオセンサ２５は、例えば、指紋センサ，虹彩センサ，声紋センサ等であり、オペレータの指紋，虹彩，声紋等の生体情報を取得する。
【００４１】
認証カード読取装置２６は、例えば、認証カードリーダ等であり、認証カードを認識して該認証カードが所定の位置にセットされている場合には、認識信号をＣＰＵ２１１に出力するとともに、認証カードに予め記憶されたオペレータの生体情報の読出し等を行う。
【００４２】
ＩＤカード発行装置３は、例えば、図１に示すように、ＥＷＳ３１、プリント装置３２等を備えて構成されている。そして、ＩＤカード発行装置３は、ＥＷＳ３１によってネットワークに接続されている。
【００４３】
ＥＷＳ３１は、例えば、図１に示すように、ＣＰＵ３１１、ＲＡＭ３１２、記憶部３１３等を備えて構成されている。
【００４４】
ＣＰＵ３１１は、記憶部３１３に記憶されたＥＷＳ３１用の各種処理プログラムに従って各種の制御動作を行う。
【００４５】
ＲＡＭ３１２は、ＣＰＵ３１１によって実行される処理プログラム等を展開するためのプログラム格納領域や、入力データや上記処理プログラムが実行される際に生じる処理結果等を格納するデータ格納領域等を備える。
【００４６】
記憶部３１３は、ＥＷＳ３１で実行可能なシステムプログラム、当該システムプログラムで実行可能な各種処理プログラム、これら各種処理プログラムを実行する際に使用されるデータ、ＣＰＵ３１１によって演算処理された処理結果のデータ等を記憶する。なお、プログラムは、コンピュータが読み取り可能なプログラムコードの形で記憶部３１３に記憶されている。
【００４７】
プリント装置３２は、撮影装置２のＣＰＵ２１１の第２の送信プログラム２１３３の実行により送信された、ＩＤ番号と，個人情報と，顔画像情報に基づく画像を、ＩＤカードにプリントする。
【００４８】
＜処理＞
次に、ＩＤカード発行システム１０００における処理（オペレータ認証処理、ＩＤカード発行処理）について説明する。
【００４９】
＜オペレータ認証処理＞
まず、ＩＤカード発行システム１０００における、オペレータを認証する処理について、図２のフローチャートを参照して説明する。
なお、初期状態として、撮影装置２の操作ロックが作動されているものとする。
【００５０】
まず、オペレータにより認証カードが認証カード読取装置２６に挿入されると、認証カード読取装置２６により認証カードが認識されて認識信号がＣＰＵ２１１に出力されるとともに、該認証カードからオペレータの生体情報が読み取られる（ステップＳ１）。
【００５１】
次に、バイオセンサ２５によりオペレータの生体情報が取得される（ステップＳ２）。
【００５２】
次に、ＣＰＵ２１１は、認証プログラム２１３４を実行することにより、バイオセンサ２５により取得されたオペレータの生体情報と、認証カード読取装置２６によりオペレータの認証カードから読み取られた生体情報とを比較することにより、オペレータの認証を行う（ステップＳ３）。
ステップＳ３において、ＣＰＵ２１１がバイオセンサ２５により取得されたオペレータの生体情報と認証カード読取装置２６により読み取られた生体情報とが一致しないと判断した場合には（ステップＳ３；Ｎｏ）、ＣＰＵ２１１は、制御プログラム２１３５を実行することにより、当該撮影装置２の操作ロックを解除せず、そのまま本処理を終了する。
ステップＳ３において、ＣＰＵ２１１がバイオセンサ２５により取得されたオペレータの生体情報と認証カード読取装置２６により読み取られた生体情報とが一致すると判断した場合には（ステップＳ３；Ｙｅｓ）、ＣＰＵ２１１は、制御プログラム２１３５を実行することにより、当該撮影装置２の操作ロックを解除し、計時を開始する（ステップＳ４）。
【００５３】
次に、ＣＰＵ２１１は、制御プログラム２１３５の実行に基づいて、計時を開始してから所定時間が経過したか否かを判断する（ステップＳ５）。
ステップＳ５において、ＣＰＵ２１１が計時を開始してから所定時間が経過していないと判断した場合には（ステップＳ５；Ｎｏ）、ＣＰＵ２１１は、所定時間が経過するまでステップＳ５の処理を繰り返す。
ステップＳ５において、ＣＰＵ２１１が計時を開始してから所定時間が経過したと判断した場合には（ステップＳ５；Ｙｅｓ）、ＣＰＵ２１１は、認証カード読取装置２６に認証カードを認識させ、認証カードが所定の位置にセットされているか否かを判断する（ステップＳ６）。
【００５４】
ステップＳ６において、ＣＰＵ２１１が、認証カードが所定の位置にセットされていないと判断した場合には（ステップＳ６；Ｎｏ）、ＣＰＵ２１１は、当該撮影装置２の操作ロックを作動し（ステップＳ７）、本処理を終了する。
ステップＳ６において、ＣＰＵ２１１が、認証カードが所定の位置にセットされていると判断した場合には（ステップＳ６；Ｙｅｓ）、ＣＰＵ２１１は、再び、計時を開始して（ステップＳ８）ステップＳ５に戻る。
【００５５】
＜ＩＤカード発行処理＞
次に、ＩＤカード発行システム１０００における、ＩＤカードを発行する処理について、図３のフローチャートを参照して説明する。
なお、本処理を行う前に、申請書に記入された申請者のＩＤ番号と個人情報は、オペレータの入力処理により、又は、ＩＤ番号読取装置２３の読取により、ホストコンピュータ１へと送信されて、記憶装置１１の個人情報データベース１１１に記憶されている。
【００５６】
まず、オペレータにより、申請書がＩＤ番号読取装置２３に挿入され、ＩＤ番号読取装置２３により申請者のＩＤ番号が読み取られる（ステップＳ１０１，識別情報読取工程）。
【００５７】
次に、オペレータにより、暗証番号記入書が暗証番号読取装置２４に挿入され、暗証番号読取装置２４により申請者の暗証番号が読み取られる（ステップＳ１０２，暗証情報入力工程）。
なお、ステップＳ１０１とステップＳ１０２の順序は逆でもよく、まず暗証番号が読み取られてからＩＤ番号が読み取られてもよい。
【００５８】
次に、撮影装置２のＣＰＵ２１１は、第１の送信プログラム２１３２を実行することにより、読み取られたＩＤ番号及び暗証番号を対応付けてホストコンピュータ１へと送信するとともに、ホストコンピュータ１に対し、記憶装置１１に記憶されている当該ＩＤ番号に対応する個人情報を要求する（ステップＳ１０３，送信工程）。
【００５９】
次に、オペレータにより撮影装置２が操作されて、カメラ２２１により申請者の顔を中心とした胸像が撮影されて顔画像情報が生成され、ＴＶモニタ２２２に当該顔画像情報に基づく顔画像を表示する（ステップＳ１０４）。
【００６０】
次に、ＣＰＵ２１１は、オペレータがＴＶモニタ２２２に表示された顔画像を確認し、当該顔画像でＯＫか否かを決定し、当該決定に伴うＯＫキー（図示省略）が押下されたか否かを判断する（ステップＳ１０５）。
ステップＳ１０５において、ＣＰＵ２１１が、オペレータがＴＶモニタ２２２に表示された顔画像でＯＫと決定しＯＫキー（図示省略）が押下されたと判断した場合には（ステップＳ１０５；Ｙｅｓ）、ＣＰＵ２１１は、当該顔画像の顔画像情報を顔画像情報データベース２１３１に記憶する（ステップＳ１０６）。
ステップＳ１０５において、ＣＰＵ２１１が、オペレータがＴＶモニタ２２２に表示された顔画像でＯＫと決定せず取消キー（図示省略）が押下されたと判断した場合には（ステップＳ１０５；Ｎｏ）、ＣＰＵ２１１は、ステップＳ１０４に戻る。
以上、ステップＳ１０１〜Ｓ１０６により、第１の工程が構成される。
【００６１】
一方、撮影装置２においてステップＳ１０４〜ステップＳ１０６の処理がなされている間、ホストコンピュータ１は、撮影装置２から送信されたＩＤ番号及び暗証番号を受信すると（ステップＳ１０７）、該暗証番号を個人情報データベース１１１に記憶することにより登録する（ステップＳ１０８）とともに、個人情報送信プログラム１１２を実行することにより、該ＩＤ番号に対応する個人情報を個人情報データベース１１１から抽出し（ステップＳ１０９）、該ＩＤ番号及び該個人情報を撮影装置２へと送信する（ステップ１１０）。
【００６２】
撮影装置２のＣＰＵ２１１は、ホストコンピュータ１からＩＤ番号及び個人情報を受信すると（ステップＳ１１１）、第２の送信プログラム２１３３を実行することにより、顔画像情報データベース２１３１から該ＩＤ番号に相当する顔画像情報を抽出し（ステップＳ１１２）、該ＩＤ番号及び該個人情報，該顔画像情報をＩＤカード発行装置３へと送信する（ステップＳ１１３）。
【００６３】
ＩＤカード発行装置３のＣＰＵ３１１は、撮影装置２からＩＤ番号，個人情報，顔画像情報を受信すると（ステップＳ１１４）、プリント装置３２に、ステップＳ１１４で受信したＩＤ番号，個人情報，顔画像情報に基づく画像をＩＤカードにプリントさせて、ＩＤカードを発行する（ステップＳ１１５，第２の工程）。
【００６４】
次に、本発明に係る撮影装置２における、複数の申請者の撮影処理の流れを図４に示すフローチャートを参照しながら説明する。
【００６５】
まず、ｎ−１人目の申請者（第２の申請者）のＩＤ番号の読取が行われ（ステップＳ２０１）、暗証番号の読取が行われ（ステップＳ２０２）、読み取られたＩＤ番号及び暗証番号がホストコンピュータ１へと送信される（ステップＳ２０３）。
次に、ｎ−１人目の申請者の顔画像が撮影され（ステップＳ２０４）、撮影された顔画像の確認が行われ（ステップＳ２０５）、ステップＳ２０５において、顔画像がＯＫの場合は当該顔画像の顔画像情報が顔画像情報データベース２１３１に記憶される（ステップＳ２０６）。
【００６６】
一方、ｎ−１人目のステップＳ２０５の処理が終了した時点（図４のｔ１）の後においては、ｎ−１人目の申請者のステップＳ２０６の顔画像情報の記憶処理等が行われていても、ｎ−１人目の申請者のＩＤ番号及び暗証番号のホストコンピュータ１への送信及び顔画像情報の確定が終了しているので、撮影装置２におけるｎ人目の申請者の情報処理が可能となり、ｎ人目の申請者（第１の申請者）のＩＤ番号の読取が行われ（ステップＳ３０１）、暗証番号の読取が行われ（ステップＳ３０２）、読み取られたＩＤ番号及び暗証番号がホストコンピュータ１へと送信される（ステップＳ３０３）。
次に、ｎ人目の申請者の顔画像が撮影され（ステップＳ３０４）、撮影された顔画像の確認が行われ（ステップＳ３０５）、ステップＳ２１０において、顔画像がＯＫの場合は当該顔画像の顔画像情報が顔画像情報データベース２１３１に記憶される（ステップＳ３０６）。
【００６７】
なお、ＩＤ番号及び暗証番号のホストコンピュータ１への送信及び顔画像情報の確定の処理は、上記の順番に限定されるものではなく、顔画像情報の確定がなされてからＩＤ番号及び暗証番号のホストコンピュータ１への送信がなされてもよい。この場合には、ｎ人目の申請者の暗証番号の読取りは、ｎ−１人目の申請者のＩＤ番号及び暗証番号のホストコンピュータ１への送信がなされてから、ｎ人目の申請者のＩＤ番号及び暗証番号のホストコンピュータ１への送信がなされる間に実行される。即ち、ｎ人目の申請者の暗証番号の読取りは、少なくともｎ−１人目の申請者のＩＤ番号及び暗証番号のホストコンピュータ１への送信がなされてからｎ人目の申請者のＩＤ番号及び暗証番号のホストコンピュータ１への送信がなされる間に実行されるようになっている。そして、ホストコンピュータ１へＩＤ番号及び暗証番号を送信する前の段階（ステップＳ３０３の前のステップ）において、ｎ人目の申請者のＩＤ番号と暗証番号は読み取られなくてはならないため、ＩＤ番号の読取と暗証番号の読取が時間的に近い段階（ステップＳ３０１及びステップＳ３０２）でなされ、ＩＤ番号と暗証番号の対応付けが容易になるようになっている。
【００６８】
以上に説明した、本発明の実施形態に係るＩＤカード発行装置１０００によれば、撮影装置２の暗証番号読取装置２４により、暗証番号記入書から申請者の暗証番号が読み取られ、撮影装置２のＩＤ番号読取装置２３により、申請書から申請者のＩＤ番号が読み取られ、ＣＰＵ２１１が第１の送信プログラム２１３２を実行することにより、暗証番号読取装置２４によって読み取られた暗証番号とＩＤ番号読取装置２３によって読み取られたＩＤ番号とが対応付けられて記憶装置１１に送信され、暗証番号読取装置２４は、ｎ−１人目の申請者における、ＣＰＵ２１１が第１の送信プログラム２１３２を実行することによるＩＤ番号及び暗証番号の送信がなされてからｎ人目の申請者における、ＣＰＵ２１１が第１の送信プログラム２１３２を実行することによるＩＤ番号及び暗証番号の送信がなされる間に、ｎ人目の申請者の暗証番号の読取を行うので、ＩＤ番号と暗証番号との対応付けが自動的になされることとなって、ＩＤ番号と暗証番号との対応付けの間違いを防止することができる。
また、ＩＤ番号が記載された申請書の読み取りと暗証番号の入力とが別々に行われるため、申請書から暗証番号が第三者に知られることを防ぐことができ、申請者の暗証番号の秘匿性を向上することができる。
また、元々ＩＤ番号の入力が必須である撮影装置２内に、暗証番号読取装置２４を設けることによって、申請者が暗証番号の入力を別個に行うこととする場合のＩＤ番号と暗証番号の入力の煩雑さを解消できて、効率的に暗証番号を入力することができる。
【００６９】
また、バイオセンサ２５により、オペレータの生体情報が取得され、認証カード読取装置２６により認証カードが認識されて認識信号がＣＰＵ２１１に出力されて、生体情報が記憶された認証カードが所定の位置にセットされているか否かが判断され、認証カード読取装置２６により、所定の位置にセットされた認証カードから生体情報が読み取られ、ＣＰＵ２１１が認証プログラム２１３４を実行することにより、バイオセンサ２５によって取得されたオペレータの生体情報と、認証カード読取装置２６によって読み取られた生体情報とが一致するか否かが判断され、ＣＰＵ２１１が制御プログラム２１３５を実行することにより、認証プログラム２１３４の実行によってバイオセンサ２５により取得されたオペレータの生体情報と認証カード読取手段２６により読み取られた生体情報とが一致すると判断し、且つ認証カード読取手段２６からの認識信号に基づいて、認証カードが所定の位置にセットされていると判断する場合にのみ、撮影装置２の操作が可能となるように制御されるので、撮影装置２のオペレータを当該オペレータの生体情報及び認証カードに基づいて二重にチェックすることができるとともに、オペレータが撮影装置２から離れる場合には、オペレータが認証カードを所持して撮影装置２から離れて所定の位置から取り除くことに基づいて撮影装置２を操作不可能とするので、オペレータ以外の者が撮影装置２を操作するのを防ぐことができる。
また、オペレータ以外の者が撮影装置２を操作するのを防ぐことができるので、申請者の暗証番号の秘匿性をより向上することができる。
【００７０】
また、暗証番号読取装置２４により暗証番号記入書から暗証番号を読み取った後に、当該暗証番号記入書を申請者に返却することができ、申請者が暗証番号を忘れてしまうことを防ぐことができる。
【００７１】
また、暗証番号記入書には申請者の暗証番号が機械的に暗号化されて記入されているので、撮影装置２のオペレータであっても、申請者の暗証番号を知るのを防ぐことができ、申請者の暗証番号の秘匿性を更に向上することができる。
【００７２】
なお、暗証番号読取装置２４は、例えば、カーソルキー，文字／数字キー，各種機能キー等を備えて構成され、オペレータが暗証番号記入書に記載された暗証番号をこれらのキーを操作することに伴う押下信号をＥＷＳ２１に出力することにより、該ＩＤ番号を入力するものであってもよい。この場合、暗証番号は申請書に数字又はマークシートの塗りつぶしにより記載される。
また、入力手段は、暗証番号読取装置２４以外にも、例えば、申請者による文字／数字キー入力が可能な入力装置としてもよい。
また、ＩＤ番号読取装置２３は、例えば、カーソルキー，文字／数字キー，各種機能キー等を備えて構成され、オペレータが申請書に記載されたＩＤ番号をこれらのキーを操作することに伴う押下信号をＥＷＳ２１に出力することにより、該ＩＤ番号を入力するものであってもよい。この場合、ＩＤ番号は申請書に数字又はマークシートの塗りつぶしにより記載される。
また、暗証番号の秘匿性は劣ることとなるが、暗証番号記入書には、暗証番号が機械的に暗号化されずに記入されてもよい。
また、認証情報として、バイオデータ（生体情報）を用いたが、暗証番号などでもよい。
また、オペレータの生体情報は認証カードに記憶されていることとしたが、撮影装置２の記憶部２１３又は記憶装置１１に記憶されていてもよい。
【００７３】
また、撮影装置２のオペレータによる操作記録を当該撮影装置２の記憶部２１３又は記憶装置１１に記憶されるようにしてもよい。操作記録は、例えば、操作時刻，オペレータのＩＤ番号，情報処理された申請者のＩＤ番号等である。操作記録を記憶することにより、不正な操作等がなされた場合に、当該不正操作の詳細等の調査をより容易に行うことができる。
【図面の簡単な説明】
【００７４】
【図１】本発明に係るＩＤカード発行システムの構成を示すブロック図である。
【図２】本発明に係るＩＤカード発行システムの撮影装置におけるオペレータ認証処理を説明するためのフローチャートである。
【図３】本発明に係るＩＤカード発行システムにおけるＩＤカード発行処理を説明するためのフローチャートである。
【図４】本発明に係る撮影装置における複数の申請者の撮影処理を説明するためのフローチャートである。
【符号の説明】
【００７５】
１１  記憶装置
２  撮影装置
２２  画像処理装置（撮影手段）
２３  ＩＤ番号読取装置（識別情報読取手段）
２４  暗証番号読取装置（入力手段,暗証情報読取手段）
２５  バイオセンサ（認証情報取得手段）
２６  認証カード読取装置（認証情報読取手段，認証カード位置判断手段）
２１１  ＣＰＵ（送信手段，認証手段，制御手段）
２１３２  第１の送信プログラム（送信手段）
２１３４  認証プログラム（認証手段）
２１３５  制御プログラム（制御手段）
３  ＩＤカード発行装置（発行装置）
１０００  ＩＤカード発行システム
【図１】
2006334879.tif 000003
【図２】
2006334879.tif 000004
【図３】
2006334879.tif 000005
【図４】
2006334879.tif 000006